(57)【要約】【課題】装着された放電灯の管電流を測定し、装着された放電灯１６・１７に適した点灯状態となるように光出力を調整する。【解決手段】点灯開始時には第一の放電灯１６に適した発振周波数で点灯を開始し、その後放電灯１６の管電流を検出し、装着された放電灯１６を判定しその放電管１６に適した光出力となるように点灯周波数を調整する。種類の異なる放電灯１６の点灯を１つのインバータで点灯とする管電流検知回路とスイッチング制御回路２を具備する。【選択図】　　図１
2004146328.tif 000002
【特許請求の範囲】
【請求項１】
出力レベルを加減することの可能なインバータを備え、前記インバータの高周波出力を受けて点灯する放電灯を備え、前記放電灯の管電流を検知する管電流検知回路を備え、基本点灯させる第一点灯周波数が設定され、かつ前記管電流検知回路の検出管電流に応動して光出力レベルを加減する制御回路を備えたことを特徴とする放電灯点灯装置。
【発明の詳細な説明】
【０００１】
【発明の属する技術分野】
本発明は、複数の放電灯の点灯状態を検出し、その検出結果より光出力レベルを加減する。これにより複数の放電灯を１つの点灯装置で適切な状態で点灯させることを可能とするインバータに関するものである。
【０００２】
【従来の技術】
複数の放電灯を点灯させる場合は、放電灯の種類により個々のインパータを必要とする。
【０００３】
【発明が解決しようとする課題】
放電灯の種類により点灯状態が異るため、個々の放電灯に適した放電灯点灯装置を必要としていた。
本発明の目的は各種放電灯を１つの放電灯点灯装置で点灯可能とするため、放電灯の種類により点灯状態が異ることを利用し、第一点灯周波数で基本点灯している時の管電流を検出し、その管電流の違いから装着された放電灯の種類を判断し、装着された放電灯に適した点灯状態となるように光出力を調整する、放電灯装置を提供することである。
【０００４】
【課題を解決するための手段】
本発明は、順直列に接続される一対のスイッチング素子３・４と、前記各スイッチング素子３・４を交互にオン・オフさせるスイッチング制御回路２と、前記各スイッチング素子３・４とスイッチング素子３・４の寄生ダイオード１４・１５とを備え、前記各スイッチング素子３・４の接続中点に接続されるコンデンサ５、チョーク６を備えた、第一の放電管１６へ交流電力を供給するインバータ回路を具備する。
まず、第一点灯周波数１９の周波数で第一の放電管１６を点灯させる。また、電流トランス８、整流回路９、抵抗１０・１１、コンデンサ１２、ダイオード１８からなる管電燕検出回路によって、装着された第一の放電管１６の管電流を検出し、検出した管電流が第一の放電管１６に相当する管電燕であれば、点灯周波数１８のまま点灯するように管電流検知回路１５からスイッチング制御回路２に対し、信号を送る。
本発明においては、まず第一点灯周波数１９の点灯周波数で第一の放電管１６の点灯を開始し、第一の放電管１６の管電燕を検出して装着された放電管が第一の放電管１６であれば、そのまま第一点灯周波数１９の点灯周波数を維持し、仮に装着された放電管が第二の放電管であれば第二の放電管１７の管電流を検出し、第二の放電管１７に適した光出力となるよう第二点灯周波数１９で点灯するように点灯周波数を調整する回路を具備する。
【０００５】
【発明の実施の形態】
図１・図２を用いて本発明の実施形態について説明する。図示インバータ装固よ順直列に接続される一対のスイッチング素子３・４と、前記各スイッチング素子３・４を交互にオン・オフさせるスイッチング制御回路２と、前記各スイッチング素子３・４とスイッチング素子３・４の寄生ダイオード１４・１５とを備え、前記各スイッチング素子３・４の接続中点に接続されるコンデンサ５、チョーク６を備えた、第一の放電管１６へ交流電力を供給するインパータ回路を具備する。
まず、第一の放電管１６を基本点灯させる第一点灯周波数Ｔ９で点灯させる。また、電流トランス８、整流回路９、抵抗１０・１１、コンデンサ１２、ダイオード１８からなる管電流検出回路Ｉこより、第一の放電管Ｔ６の管電流を検出し、検出した管電流が第一の放電管１６に相当する管電流であれば、点灯風波数１８のまま点灯するように管電流検知回路１５からスイッチング制御回路２に対し、信号を送る。
本発明こおいては、まず第一点灯周波数１９で点灯を開始し、装着された放電管が第一の放電管１６であれば、第一の放電管１６に適した光出力となるように点灯周波数を第一点灯周波数１９のまま保持持し、仮に装着された放電管が第二の放電管１７であれば第二の放電管の管電流を検出し、第二の放電管１７に適した光出力となるよう第二点灯周波数２０で点灯するよ引こ点灯周波数を調整する回路を具備する。
もう少し詳しく説明する。一対のスイッチング素子３・４はトランジスタである。ダイオード１４・１５は、各スイッチング素子３・４の寄生ダイオードである。誘導性負荷の例は第一の放電管（蛍光ランプ）１６と直列のバラストインダクタ６・第一の放電灯１６の非鴎原側端子聞こ接続された予熱用コンデンサ７を含む放電灯点灯回路である。誘導性負荷の一蹴は各スイッチング素子３に接続される。誘導性負荷の他端はアーム用コンデンサ５を介して一対のスイッチング素子３・４の中点に接続される。スイッチング制御回路２の例は他励式回路であり、誘導性負荷へ与える交流電力（インバータ出力）の周波数を適宜に調整する能力を持つ。
【０００６】
図１のインバータ回路のインバータ形式は一対のスイッチング素子３・４と一対のアーム用コンデンサ５とでブリッジアームを組む形態のハーフブリッジ形である。また、図２はインバータの点灯周波数を示したものである。本インバータ回路においてまず、第一点灯周波数Ｔ９の発振周波数で点灯を開始する。次に電流トランス８、整流回路９、抵抗１０・１１、コンデンサ１２、ダイオード１８からなる管電流検出回路こより、装着された第一の放電灯１６の管電流を検出し、管電流検知回路１５は、スイッチング制御回路２に対し、第一の放電灯１６に適した第一点灯周波数１９となるように動作する。また、第二の放電管１７が装着された場合、電流トランス８，整流回路９、抵抗１０・１１，コンデンサ１２、ダイオード１８からなる管電流検出回路により、第二の放電灯１７の管電流を検出し、管電流検知回路博は、スイッチング制御回路２に対し、第二の放電灯１７に適した第二点灯周波数２０となるように動作する。
本発明では点灯開始鰍こは第一の放電灯１６に適した第一点灯周波数Ｔ９で点灯を開始し、その後放電灯１６の管電流を検出し、装着された放電管を管電流により判定しその放電管に通した光出力となるように点灯周波数を調整することにより、手重類の異なる放電管の点灯を１つのインパ〜タで可能とすることを目的としたものである。
【０００７】
【発明の効果】
本発明は、種類の異なる複数の放電管のどの放電管が装着されたかを放電管の管電流を検出することにより判定し、判定結果により装着された放電管に適した点灯周波数とし光出力を調整を行うことができる。上記により、種類の異なる複数の放電管をそれぞれ最適に点灯することを可能とする。
【図面の簡単な説明】
【図１】本発明装置の回路図である。
【図２】本発明装置の点灯周波数とランプ電流の関係を示したグラフである。
【符号の説明】
１：電源、２：スイッチング制御回路、３・４：スイッチング素子、５：アーム用コンデンサ、６：バラストインダクタ、７：予熱コンデンサ、８：電流トランス、９：整流回路、１０；抵抗、１１：抵抗、１２：コンデンサ、１３・１４：寄生ダイオード、１５：管電流検知回路、１６：第一の放電灯、１７：第二の放電灯、１８：ダイオード、１９：第一点灯周波数（１６第一の放電灯用の点灯周波数）、２０：第二点灯周波数（１７：第二の放電灯用の点灯周波数）
【図１】
2004146328.tif 000003
【図２】
2004146328.tif 000004